(57)【要約】【課題】折版屋根への取り付けを短時間で簡便に行うことができ、既設の軒樋吊構造に対して後付けを可能とする軒樋吊構造の補強用支持具及び軒樋吊具を提供する。【解決手段】本発明は、山部１ａと谷部１ｂが交互に屈曲形成された折版屋根１に吊下ボルト４を固定すると共に、その下端部４ｂに軒樋２を吊下保持する軒樋吊構造を対象として、折版屋根１の谷部１ｂ下面間に渡って杆状部材１１を配置し、この杆状部材１１の長手方向中間部に形成した貫通孔内に吊下ボルト４を挿通して該吊下ボルト４を支持する軒樋吊構造の補強用支持具５であって、杆状部材１１は、前記貫通孔を通り、かつその幅方向中間部を通る鉛直方向の分断面をもって分割されると共に、それぞれ谷部１ｂ下面間に渡って配置された一対の分割体とされ、これら分割体を前記貫通孔の側方に延在する部分において緊締する緊締部材１４を備えていることを特徴とする。【選択図】図１
2011001725.tif 000002
【特許請求の範囲】
【請求項１】
山部と谷部が交互に屈曲形成された折版屋根に吊下ボルトを固定すると共に、その下端部に軒樋を吊下保持する軒樋吊構造を対象として、前記折版屋根の谷部下面間に渡って杆状部材を配置し、この杆状部材の長手方向中間部に形成した貫通孔内に前記吊下ボルトを挿通して該吊下ボルトを支持する軒樋吊構造の補強用支持具であって、
前記杆状部材は、前記貫通孔を通り、かつその幅方向中間部を通る鉛直方向の分断面をもって分割されると共に、それぞれ前記谷部下面間に渡って配置された一対の分割体とされ、
これら分割体を前記貫通孔の側方に延在する部分において緊締する緊締部材を備えていることを特徴とする軒樋吊構造の補強用支持具。
【請求項２】
請求項１に記載の軒樋吊構造の補強用支持具において、
前記一対の分割体の分断面には、それぞれ対応する位置に互いに凹凸嵌合する凹部又は凸部が形成されていることを特徴とする軒樋吊構造の補強用支持具。
【請求項３】
請求項１又は２に記載の軒樋吊構造の補強用支持具において、
前記緊締部材は、接合された前記一対の分割体に対して装着されたときに、前記分割体を互いに圧接する方向に付勢する一対の付勢壁部を備えていることを特徴とする軒樋吊構造の補強用支持具。
【請求項４】
請求項３に記載の軒樋吊構造の補強用支持具において、
前記杆状部材には、各分割体の前記分断面と反対側の外側面にその長手方向に凹凸を繰り返す被係合凹凸部が形成され、
前記一対の付勢壁部には、その内面に各分割体の被係合凹凸部に係合自在な係合凹凸部が形成され、
前記緊締部材は、前記杆状部材に装着された状態で前記長さ方向に押圧されたときに、弾性変形して前記長手方向に移動可能とされていることを特徴とする軒樋吊構造の補強用支持具。
【請求項５】
山部と谷部が交互に屈曲形成された折版屋根に対して、その上端部が前記山部に固定され、その下端部が該折版屋根の下方に垂下される吊下ボルトと、
前記折版屋根の谷部下面間に渡って杆状部材が配置され、この杆状部材の長手方向中間部に形成した貫通孔内に前記吊下ボルトを挿通して該吊下ボルトに固定されると共に、同長手方向両端部が前記谷部下面に当接して該吊下ボルトを支持する補強用支持具と、
前記吊下ボルトの下端部に固定されて軒樋を吊下保持する保持部材とを備えた軒樋吊具であって、
前記杆状部材は、前記貫通孔を通り、かつその幅方向中間部を通る鉛直方向の分断面をもって分割されると共に、それぞれ前記谷部下面間に渡って配置された一対の分割体とされ、
これら分割体を前記貫通孔の側方に延在する部分において緊締する緊締部材を備えていることを特徴とする軒樋吊具。
【発明の詳細な説明】
【技術分野】
【０００１】
本発明は、折版屋根を対象とした軒樋吊構造の補強用支持具及び軒樋吊具に関する。
【背景技術】
【０００２】
従来、折版屋根を対象とする軒樋吊具として各種のものが提案されているが、降雨・降雪量が多く、風の強い地域においては、軒樋に強い外力が加わるため、軒樋の支持強度について十分配慮する必要がある。即ち、折版屋根は、山部と谷部とが交互に屈曲形成された構造となっているが、例えば折版屋根の一部に吊下ボルトの上端部をナット締めにより固定し、この吊下ボルトの下端部に軒樋を吊下固定する構造とした場合には、吊下ボルトの固定がその上端部のみであるため、風雨、風雪等により吊下ボルトが揺動し、屋根に対する吊下ボルトの支持構造が破壊されるおそれがある。
そこで、従来の軒樋吊具としては、例えば下記特許文献１に示すように、吊下ボルトの支持強度を十分確保するために、屋根との間に支持部材を設ける構造が提案されている。
【０００３】
特許文献１に開示された従来の軒樋吊具は、図１０に示すように、吊下ボルト１００、支持部材１０１、保持部材１０２、及びこれらを固定するナット１０３、１０３・・とから構成されている。この軒樋吊具１０４の吊下ボルト１００は、その上端部１００ａが山部１０５ａの孔１０８に挿通されて、上端部１００ａに螺合するナット１０３、１０３で折版屋根１０５を上下から挟むようにして該折版屋根１０５に固定されている。また、吊下ボルト１００の下端部１００ｂにおいては、軒樋１０６を吊下げ保持する保持部材１０２がナット１０３、１０３によって固定、保持されている。
【０００４】
さらに、吊下ボルト１００の上端部１００ａと下端部１００ｂとの間には、支持部材１０１がその中心に備えた貫通孔１０７に吊下ボルト１００を挿通した状態で折版屋根１０５の谷部１０５ｂ、１０５ｂ下端部に渡るように配置されており、さらにその下方に螺合したナット１０３で上方に押圧され、支持部材１０１の両端に形成された傾斜側面１０１ａ、１０１ａが折版屋根１０５の下面に当接している。
【０００５】
このようにして、従来の軒樋吊具１０４は、吊下ボルト１００の上端部１００ａにおいてナット１０３で折版屋根１０５に固定されると共に、中間部において、支持部材１０１を吊下ボルト１００と折版屋根１０５との間に介在させて、折版屋根１０５に固定されている。
【０００６】
また、この軒樋吊具１０４の折版屋根１０５への装着は、まず吊下ボルト１００を折版屋根１０５の孔１０８に挿通してナット１０３、１０３で上下から固定し、次に支持部材１０１に設けられた孔１０７に吊下ボルト１００を下方から相対的に挿通するようにして支持部材１０１を吊下ボルト１００に装着し、その下方からナット１０３を螺合して支持部材１０１を折版屋根１０５に当接させ、続いて、ナット１０３、保持部材１０２、ナット１０３をこの順に吊下ボルト１００に取り付け、ナット１０３、１０３で保持部材１０２を吊下ボルト１００の下端部に固定されて行われている。
【先行技術文献】
【特許文献】
【０００７】
【特許文献１】特開平８−３１２０７８号公報
【発明の概要】
【発明が解決しようとする課題】
【０００８】
ところで、上記の軒樋吊具１０４に使用する支持部材１０１は、孔１０７に吊下ボルト１００を挿通させる構造であるため、一般的な既設の軒樋吊構造、すなわち折版屋根１０５に吊下ボルト１００の上端部１００ａのみを固定し、この吊下ボルト１００の下端部１００ｂに保持部材１０２を介して軒樋１０６を吊下した構造に対しては、一旦軒樋１０６を取り外さない限り取り付けができないものであり、既設の軒樋吊構造に対して後付けによる補強工事が実質的に困難であるという問題があった。
【０００９】
また、上記軒樋吊具１０４によると、吊下ボルト１００を折版屋根１０５に取り付けた後、他の部材のそれぞれを固定するナット１０３を螺合しながら吊下ボルト１００に挿通してゆくものであるため、各部材の取付作業に時間と手間がかかり、しかもほとんどの作業を高所で行うことになるため、施工作業が面倒かつ困難であるという問題があった。
【００１０】
また、現場での軒樋吊具１０４の組み立て作業を軽減したり、施工者が直ちに施工できるような状態にしておくためには、軒樋吊具１０４の搬送前に、予め各部材を吊下ボルト１００に取り付けておければよいが、吊下ボルト１００に事前に支持部材１０１を挿通しておくと、支持部材１０１が左右に張り出して邪魔になったり、支持部材１０１が徒に動いたりするなどして運搬に不都合であり、また、実際に折版屋根１０５に装着するにあたっても、ナット１０３を上下に移動させて支持部材１０１の位置を調整する必要が生じたりするため、予め組み立てておいて施工作業の軽減を図るということに不向きであるという問題があった。
【００１１】
本発明は上記事情に鑑みてなされたものであり、既設の軒樋吊構造に対して後付けによる補強工事を可能とする軒樋吊構造の補強用支持具を提供することを目的とする。また、軒樋吊具の組み立て及び軒樋吊具の折版屋根への取り付けを短時間で簡便に行うことができ、軒樋吊具の事前組み立て及び運搬にも好適な軒樋吊具を提供することを目的とする。
【課題を解決するための手段】
【００１２】
上記目的を達成するために、この発明は以下の手段を提供している。
請求項１の発明は、山部と谷部が交互に屈曲形成された折版屋根に吊下ボルトを固定すると共に、その下端部に軒樋を吊下保持する軒樋吊構造を対象として、前記折版屋根の谷部下面間に渡って杆状部材を配置し、この杆状部材の長手方向中間部に形成した貫通孔内に前記吊下ボルトを挿通して該吊下ボルトを支持する軒樋吊構造の補強用支持具であって、前記杆状部材は、前記貫通孔を通り、かつその幅方向中間部を通る鉛直方向の分断面をもって分割されると共に、それぞれ前記谷部下面間に渡って配置された一対の分割体とされ、これら分割体を前記貫通孔の側方に延在する部分において緊締する緊締部材を備えていることを特徴とする。
請求項２に記載の発明は、前記一対の分割体の分断面には、それぞれ対応する位置に互いに凹凸嵌合する凹部又は凸部が形成されていることを特徴とする。
請求項３の発明は、前記緊締部材は、接合された前記一対の分割体に対して装着されたときに、前記分割体を互いに圧接する方向に付勢する一対の付勢壁部を備えていることを特徴とする。
請求項４の発明は、前記杆状部材には、各分割体の前記分断面と反対側の外側面にその長手方向に凹凸を繰り返す被係合凹凸部が形成され、前記一対の付勢壁部には、その内面に各分割体の被係合凹凸部に係合自在な係合凹凸部が形成され、前記緊締部材は、前記杆状部材に装着された状態で前記長さ方向に押圧されたときに、弾性変形して前記長手方向に移動可能とされていることを特徴とする。
請求項５の発明は、山部と谷部が交互に屈曲形成された折版屋根に対して、その上端部が前記山部に固定され、その下端部が該折版屋根の下方に垂下される吊下ボルトと、前記折版屋根の谷部下面間に渡って杆状部材が配置され、この杆状部材の長手方向中間部に形成した貫通孔内に前記吊下ボルトを挿通して該吊下ボルトに固定されると共に、同長手方向両端部が前記谷部下面に当接して該吊下ボルトを支持する補強用支持具と、前記吊下ボルトの下端部に固定されて軒樋を吊下保持する保持部材とを備えた軒樋吊具であって、前記杆状部材は、前記貫通孔を通り、かつその幅方向中間部を通る鉛直方向の分断面をもって分割されると共に、それぞれ前記谷部下面間に渡って配置された一対の分割体とされ、これら分割体を前記貫通孔の側方に延在する部分において緊締する緊締部材を備えていることを特徴とする。
【発明の効果】
【００１３】
請求項１に記載の補強用支持具によれば、折版屋根の谷部下面間に亘って配置される杆状部材を、吊下ボルトが挿通される貫通孔を通り、かつその幅方向中間部を通る鉛直方向の分断面で分割し、これら分割された分割体を貫通孔の側方に延在する部分において緊締部材により固定するようにしたので、既設の折版屋根を対象とした軒樋吊構造において、分割体を後付により吊下ボルトに固定でき、後付による補強工事が可能であるという効果を奏する。
【００１４】
請求項２に記載の補強用支持具によれば、分割体同士が対向する分断面には、互いに対応する位置に互いに嵌合する凹部又は凸部が形成されているため、補強用支持具を構成する分割体同士の位置決めが容易となるという効果を奏する。
【００１５】
請求項３に記載の補強用支持具によれば、杆状部材への装着時に分割体を互いに圧接する方向に付勢する付勢壁部を設けた緊締部材で杆状部材を緊締するものであるため、補強用支持具の吊下ボルトへの装着が確実となるという効果を奏する。
【００１６】
請求項４に記載の補強用支持具によれば、杆状部材の被係合凹凸部と付勢壁部の係合凹凸部とが係合するため、緊締部材による分割体の緊締が徒に離脱することが回避されるという効果を奏する。
【００１７】
請求項５に記載の軒樋吊具によれば、補強用支持具が貫通孔を通り、かつその幅方向中間部を通る鉛直方向の分断面で分割された一対の分割体により構成されており、補強用支持具を吊下ボルトに取り付ける際に、分割された分割体を吊下ボルトを挟み込むようにして装着し、杆状部材の貫通孔から側方に延在する部分において緊締部材で緊締することにより取り付けるものであるため、吊下ボルトを補強用支持具の貫通孔に挿通する必要がなく、また貫通孔を囲む位置で緊締部材を緊締することもない。したがって、予め補強用支持具以外の部材を吊下ボルトに装着しておいて、その後補強用支持具を簡単に追加装着することができるため、現場での作業を極力省くことができる。また、補強用支持具を固定するナットを吊下ボルトの端部から螺合させる等の手間を省け、軒樋吊具の折版屋根への設置及び設置準備が簡便となり、かつ、作業時間を大幅に削減することができるという効果を奏する。
【図面の簡単な説明】
【００１８】
【図１】（ａ）（ｂ）は、本発明の第１の実施形態として示した補強用支持具及びこれを用いた軒樋吊具を示す図であって、本発明による補強用支持具及び軒樋吊具を折版屋根に設置する方法を示す説明図である。
【図２】は、本発明の第１の実施形態として示した補強用支持具及び軒樋吊具を折版屋根に取り付けた状態を示す側断面図である。
【図３】は、本発明の第１の実施形態として示した補強用支持具の組立図である。
【図４】（ａ）は、本発明の第１の実施形態として示した補強用支持具を構成する分割体を示した平面図であり、（ｂ）は、その正面図であり、（ｃ）は、その背面図である。
【図５】（ａ）は、本発明の第１の実施形態として示した補強用支持具の緊締部材の平面図であり、（ｂ）は、本発明の第１実施形態として示した補強用支持具の緊締部材の側面図である。
【図６】は、本発明の第１の実施形態として示した補強用支持具の分割体を接合して緊締部材により緊締される方法を示す説明図である。
【図７】は、本発明の第２の実施形態として示した補強用支持具を示した斜視図である。
【図８】は、本発明の第３の実施形態として示した補強用支持具を示した斜視図である。
【図９】は、本発明の第４の実施形態として示した補強用支持具を示した斜視図である。
【図１０】は、従来の軒樋吊具を示す図である。
【発明を実施するための形態】
【００１９】
以下、図を参照して本発明の実施形態について説明する。
図１（ａ）、（ｂ）は、本発明の第１の実施形態を示す図であって、本発明による補強用支持具及び軒樋吊具を折版屋根に設置する場合の説明図（正面図）、図２は、同側断面図である。
図１（ａ）、（ｂ）において、符号１は、軒樋吊具の設置対象となる折版屋根、２は軒樋であり、図１（ｂ）において３は本発明による軒樋吊具である。
【００２０】
折版屋根１は、山部１ａと谷部１ｂとが傾斜部１ｃを介在させて交互に屈曲形成されたものであり、山部１ａの下方には、空間Ｓが形成されている。軒樋２は、図２に示すように、底壁２ａ及び側壁２ｂ、２ｂからなるものであり、側壁２ｂ、２ｂの上端部には被係合壁部２ｃ、２ｃが形成されている。
【００２１】
軒樋吊具３は、図１（ｂ）に示すように、上端部４ａが折版屋根１の山部１ａに固定され、その中間部が空間Ｓを通り、下端部４ｂが折版屋根１の下方に垂下される吊下ボルト４と、折版屋根１の谷部１ｂ、１ｂの下面間に渡って配置され、その長手方向中央部が吊下ボルト４に固定されると共に、同長手方向両端部５ｔ、５ｔが谷部１ｂ、１ｂの下面に当接して吊下ボルト４を支持する補強用支持具（以下、支持具という）５と、吊下ボルト４の下端部４ｂに固定されて軒樋２を吊下保持する保持部材６と、吊下ボルト４を折版屋根１に固定するナット７、７及びワッシャ８、８、保持部材６を吊下ボルト４に固定するナット７、７とから構成されたものである。
【００２２】
吊下ボルト４は、折版屋根１の山部１ａ、谷部１ｂ間寸法より長く、折版屋根１に固定された状態で、谷部１ｂ位置から所定寸法下方へ突出し、その下端部４ｂに軒樋２を固定できる寸法とされている。
【００２３】
支持具５は、図３に示すように、杆状部材１１と緊締部材１４とから構成されたものである。杆状部材１１は、一定の幅寸法をもって一方向に延在するように形成された杆状部１１Ａと、この杆状部１１Ａの長手方向中央部に下方へ向かって（図３は支持具５を上下を逆にして見た図）突出するように形成され、吊下ボルト４が挿通される上下方向の貫通孔１２を備えた取付壁部１３とからなるものである。
【００２４】
上記の貫通孔１２は、取付壁部１３及び杆状部１１Ａを貫通するように形成された孔であり、その内径寸法が前記吊下ボルト４を密に嵌入し得る寸法とされている。
なお、この貫通孔１２の内壁面は、ローレット加工が施されており、凹凸のある面とされている。
【００２５】
取付壁部１３は、中心部に貫通孔１２を形成し、杆状部１１Ａから一定の厚みを以って円柱状に一定寸法突出する壁部である。
【００２６】
杆状部材１１は、取付壁部１３及び貫通孔１２を通り、かつ杆状部１１Ａの幅方向中心部を通る鉛直方向の分断面２１をもって２分割され、一対の分割体１６、１６とされている。
【００２７】
分割体１６の詳細は、図４（ａ）、（ｂ）、（ｃ）に示されており、杆状部材１１の分断面２１には、貫通孔１２の中心軸線を中心とした線対称位置に凹部１７及び凸部１８が形成されている。また、図３に示すように、杆状部１１Ａの外側壁１１ｂには、その長手方向に向けて凹凸を繰り返す被係合凹凸部１５が形成されている。この杆状部材１１を構成する一対の分割体１６、１６は、各部の形状、寸法等が同一の構成とされたものである。
この構成の下に、一対の分割体１６は、分断面２１を互いに当接接合したときに、凹部１７、凸部１８が互いに嵌合し、結合時の位置合わせが確実、容易になされるようになっている。
【００２８】
また、図３、図５（ａ）（ｂ）に示すように、緊締部材１４は、主壁部１４ａ、付勢壁部１４ｂ、１４ｂ、先端壁部１４ｃ、１４ｃからなる側面視Ｃ字状の部材であり、その内部が空間Ｐとされ、付勢壁部１４ｂ、１４ｂの各内面にＣ字状面に直交する方向（矢印Ｘ、Ｙ方向）へ向けて凹凸を繰り返す係合凹凸部１９、１９が形成されている。
【００２９】
また、この緊締部材１４は、主壁部１４ａの内面に矢印Ｘ、Ｙ方向へ向けて溝２０、２０が形成されており、主壁部１４ａに対し付勢壁部１４ｂ、１４ｂが溝２０、２０を中心として互いに拡開する方向に弾性変形可能とされている。
この緊締部材１４は、図６（ａ）、（ｂ）、（ｃ）に示すように、分割体１６、１６を互いに接合させた状態において、空間Ｐ内に杆状部材１１の杆状部１１Ａを相対的に挿通させて分割体１６、１６を緊締することができる。
【００３０】
この場合、緊締部材１４は、空間Ｐ内に杆状部材１１の杆状部１１Ａの端部を挿入して取付壁部１３方向へ押圧すると、付勢壁部１４ｂ、１４ｂが溝２０、２０を中心として弾性変形しつつ、係合凹凸部１９が被係合凹凸部１５に対して係合、離脱を繰り返し、取付壁部１３側へ移動することができる。
【００３１】
また、図２に示すように、保持部材６は、主壁部６ａの両側部に軒樋２の被係合壁部２ｃに係合自在な係合壁部６ｂが形成されたものであり、主壁部６ａに貫通孔６ｃが形成されている。
【００３２】
なお、上記の軒樋吊具３において、吊下ボルト４、ナット７、ワッシャ８は、鉄、ステンレス等の金属材料により形成されることが望ましく、支持具５の各構成部品は、塩化ビニル樹脂、ＡＢＳ樹脂等の合成樹脂材料により形成されることが望ましい。
【００３３】
次に、上記の構成からなる軒樋吊具３を用いて折版屋根１に軒樋２を設置する方法について説明する。
まず、軒樋吊具３は、軒樋２の設置現場に搬入する前に、予め所定の部材について組み立てを行っておく。即ち、図１（ａ）に示す各部材のうち、吊下ボルト４の上端部４ａに一組のナット７、ワッシャ８を取り付け、その下端部４ｂにナット７、７により保持部材６を取り付けておく。
【００３４】
次に、上記のように吊下ボルト４に各部材を取り付けた組立体１０を、杆状部材１１の分割体１６、１６、緊締部材１４、１４、他の一組のナット７、ワッシャ８と共に軒樋２の設置現場に搬入する。
軒樋２の設置に際しては、まず、図１（ａ）に示すように、軒樋２の設置位置に合わせて、折版屋根１の山部１ａに吊下ボルト４を固定するための孔２５を形成する。
【００３５】
そして、この孔２５に対し、上記の組立体１０の吊下ボルト４の先端部４ａを折版屋根１の山部１ａの下方から挿入し、山部１ａから突出した先端部４ａにワッシャ８を装着し、ナット７を螺合、緊締することにより吊下ボルト４の上端部４ａを山部１ａに固定する。なお、この場合の固定は、仮固定としておく。
【００３６】
次に、図１（ｂ）に示すように、杆状部材１１を、その杆状部１１Ａの両端部５ｔ、５ｔを折版屋根１の谷部１ｂ、１ｂのやや下方に位置させた状態で吊下ボルト４に装着する。この場合、図６（ａ）に示すように、杆状部材１１の分割体１６、１６を吊下ボルト４の前後に位置させ、次に、同図（ｂ）に示すように分割体１６、１６を接合させ、貫通孔１２内に吊下ボルト４を位置させる。そして、この状態において、同図（ｃ）に示すように、杆状部１１Ａの両端部５ｔ、５ｔに緊締部材１４、１４を装着し、これら緊締部材１４、１４を取付壁部１３方向へ移動させ、更に支持具５を上方に移動させ、端部５ｔ、５ｔを折版屋根１の谷部１ｂ、１ｂに当接させる。
この際、緊締部材１４は、前述したように、その係合凹凸部１９が被係合凹凸部１５に対し係合、離脱を繰り返して移動する。
緊締部材１４は、最終的には取付壁部１３に当接するように位置させる。
このようにして支持具５は、緊締部材１４によって取付壁部１３を挟むように分割体１６、１６の杆状部（貫通孔の側方に延在する部分）１１Ａが緊締されることにより、取付壁部１３の貫通孔１２内に位置する吊下ボルト４に固定される。
【００３７】
この場合、貫通孔１２の内面は凹凸のある形状とされているので、杆状部材１１は吊下ボルト４に堅固に固定される。
【００３８】
次に、吊下ボルト４の上端部４ａにおいて、ナット７、７を適宜回動させ、吊下ボルト４をやや上方に引き上げ、杆状部材１１における杆状部１１Ａの両端部５ｔ、５ｔの上面を折版屋根１の谷部１ｂの下面に付勢させた状態で下方のナット７を本締めし、上方のナット７も本締めして固定する。
このようにして、支持具５における杆状部材１１の両端部５ｔ、５ｔが折版屋根１の谷部１ｂ、１ｂ下面に密に係合し、結果として吊下ボルト４が折版屋根１の山部１ａと谷部１ｂとに堅固に固定されることになる。
【００３９】
次に、吊下ボルト４の下端部４ｂには、図２に示すように保持部材６が取り付けられているので、この保持部材６の係合壁部６ｂ、６ｂを弾性変形させることにより、軒樋２の被係合壁部２ｃ、２ｃに係合させる。そして、ナット７、７を適宜回動操作して、軒樋２の高さを調整した後、これらナット７、７を本締めし、かくして軒樋２の施工作業が完了する。
【００４０】
上記の軒樋吊具３によれば  杆状部材１１が貫通孔１２及び取付壁部１３を通り、その幅方向中央部を通る鉛直方向の分断面２１で一対の分割体１６、１６に分割自在とされているため、支持具５を吊下ボルト４に取り付ける際に、分割体１６、１６を吊下ボルト４に挟み込むようにして装着し、杆状部１１Ａのみを緊締部材１４で緊締することにより取り付けが可能となる。したがって、支持具５を固定する部材を吊下ボルト４の端部から螺合させる等の手間を省いて、支持具５を吊下ボルト４の中間部に容易に取り付けることができるため、支持具５の取り付け作業が簡便となり、ひいては、軒樋吊具３の事前組み立てが可能であるため、折版屋根１への設置が簡便となり、かつ、作業時間を大幅に削減することができる。
【００４１】
また、杆状部材１１が分割自在で、吊下ボルト４への取り付けが容易であるので、軒樋吊具３の出荷時において支持具５を吊下ボルト４から取り外して、軒樋吊具３をコンパクトに持ち運びすることができる。
【００４２】
また、この支持具５によれば、折版屋根１に吊下ボルト４の上端部４ａのみを固定し、この吊下ボルト４の下端部４ｂに保持部材６を介して軒樋２を吊下した既設の軒樋吊構造に対して、軒樋２等の取り外し工事を行うことなく、吊下ボルト４に支持具５の取り付けが可能であり、事後的に補強工事を行うことができる。
すなわち、既設の軒樋吊構造に対して、吊下ボルト４に杆状部材１１の分割体１６、１６を取り付け、これら分割体１６、１６を緊締部材１４、１４により緊締して事後的な補強工事を行うことができる。
【００４３】
また、分割体１６、１６同士が対向する分断面２１には、互いに対応する位置に互いに嵌合する凹部１７又は凸部１８が形成されているため、杆状部材１１を構成する分割体１６、１６同士の位置決めが容易となる。
また、一対の分割体１６、１６は、同一構成とされているので、同一の金型等を用いて製造することができ、製造コストの低減を図ることができる。
【００４４】
また、貫通孔１２の内壁面は、ローレット加工が施され凹凸のある面とされているため、この貫通孔１２の内壁面が吊下ボルト４の外周面に当接した際に、これらの互いに当接する面同士の摩擦抵抗が大きくなり、杆状部材１１の上下方向への移動を防止することができる。
また、突出壁部１３は、一定寸法下方に向かって突出しているので、該突出壁部１３内に形成された貫通孔１２と吊下ボルト４とが当接する摩擦面が突出寸法分確保されて、支持具５が吊下ボルト４の上下方向に移動するのを防止し、支持具５が吊下ボルト４に確実に固定され得る。
【００４５】
また、緊締部材１４を杆状部材１１に装着する際に、分割体１６を互いに圧接する方向に付勢する付勢壁部１４ｂ、１４ｂを設けた緊締部材１４で杆状部材１１を緊締するものであるため、支持具５の吊下ボルトへの装着が簡便となる。
【００４６】
また更に、杆状部材１１における杆状部１１Ａの外側面１１ｂに被係合凹凸部１５、１５を形成し、この被係合凹凸部１５、１５に緊締部材１４の係合凹凸部１９を係合させるように構成したので、両者の係合が確実になされて、杆状部材１１から緊締部材１４が徒に離脱することを防止することができる。
【００４７】
なお、上記の実施形態においては、支持具５の構成において、取付壁部１３を杆状部１１Ａの下方に突出するように形成したが、この構成に代えて、この取付壁部１３を上方又は上下両方に突出するように形成しても良い。
この取付壁部１３は、所定寸法上方又は下方あるいは上下双方に向かって突出していることにより、吊下ボルト４に密に当接し、これと摩擦する面が大きく確保されることになって、支持具５が吊下ボルト４の上下方向に移動するのを防止することが出来る。
【００４８】
また、この取付壁部１３の形状は、中心部に吊下ボルト４に密に当接する貫通孔１２を備えていれば、外周部の輪郭形状を各種の多角形形状としてもよく、例えば当該輪郭形状を矩形としてその端面を杆状部１１Ａに装着した緊締部材１４と密着できるようにすれば、緊締部材１４の装着時におけるよじれ等を抑えることができ、緊締部材１４による、より堅固な固定が可能となる。
また、取付壁部１３の外周部の輪郭形状を多角形にすることにより、分割体１６、１６の分断面２１を接合して杆状部材１１を吊下ボルト４に取り付ける際に、取付壁部１３の外周面を把持しやすくなる。
【００４９】
次に、図７は、本発明の第２の実施形態を示す図である。
なお、図７において、図１から図６に示す構成要素と同一部分には同一符号を付し、その説明を省略する。
この実施形態が、上述した第１実施形態と相違する点は、分割体１６、１６の杆状部１１Ａにおいて、長手方向中間部分の領域の分断面２１から外側壁１１ｂまでの寸法が、漸次取付壁部１３に向かうに従い大きくなる幅広部Ｑを形成し、この幅広部Ｑの外側面１１ｂに被係合凹凸部１５を形成したこと、及び緊締部材１４の主壁部１４ａの内端に操作用突起２２を形成したことである。
【００５０】
この支持具５によれば、分割体１６、１６の杆状部材１１を緊締部材１４により緊締する際に、緊締部材１４を取付壁部１３方向へ移動させるに従って幅広部Ｑにおいて杆状部１１Ａの幅寸法が大きくなるので、緊締部材１４を取付壁部１３に近づけるほど緊締力が強くなり、分割体１６、１６の緊締をより堅固に行うことができる。
また、緊締部材１４、１４の操作に際しては、操作用突起２２、２２を操作することにより、緊締作業を容易に行うことができる。この支持具５によっても、上述した支持具５と同様の作用、効果を得ることができる。
【００５１】
図８は、本発明の第３の実施形態を示す図である。
この実施形態においては、支持具５は、丸棒状に形成され、長さ方向中央部に形成された円筒状の取付壁部１３を備えた杆状部材１１と、この杆状部材１１に装着される緊締部材１４、１４とからなっている。
【００５２】
杆状部材１１は、取付壁部１３から両端部５ｔ、５ｔへ向かうに従いその径が漸次小となるようテーパ形状に形成された左右の杆状部３０、３０からなっている。取付壁部１３の貫通孔１２は、前述した吊下ボルト４が挿通される孔である。上記左右の杆状部３０、３０の外周面には、雄螺子部２３、２３が形成されている。
この杆状部材１１は、取付壁部１３及び貫通孔１２を通りかつ杆状部３０の幅方向中央部を鉛直方向で２分割され、一対の分割体１６、１６とされている。
【００５３】
緊締部材１４は、リング状に形成された本体４１と、この本体４１の外周面に突出するように形成された操作突起４２、４２とからなっている。
本体４１の内面には、杆状部３０の雄螺子部２３に螺合可能な雌螺子部２４が形成されている。
【００５４】
この支持具５においては、分割体１６、１６を接合させた状態において、各杆状部３０、３０の雄螺子部２３、２３に緊締部材１４、１４を螺合することにより、分割体１６、１６を緊締することができる。
この場合、杆状部３０は、テーパ形状とされているので、緊締部材１４を取付壁部１３に移動させるほど緊締力が強くなり、各分割体１６、１６を強固に緊締することができる。
【００５５】
この支持具５によっても、前述した支持具５と同様の作用、効果を得ることができる。
また、この構成を採用することにより、操作突起４２、４２を緊締部材１４を螺合する方向に押して、該緊締部材１４を杆状部材１１における杆状部３０に簡単に螺合していくことができ、かつ、取付壁部１３方向に装着していくに従って緊締がより強固になるため、支持具５の吊下ボルト４への緊締を容易かつ堅固にすることができる。
【００５６】
次に、図９を参照して本発明の第４実施形態について説明する。
図９において、図１から図６に示す構成要素と同一部分には同一符号を付し、その説明を省略する。
本実施形態は、上記の各実施の形態と比べて、支持具５における分割体１６、１６の緊締手段を異ならせたものであり、緊締部材１４に代えて、分割体１６、１６自体に緊締手段を設けるように構成したものである。
すなわち、この支持具５においては、一方の分割体１６の杆状部１１Ａの一端部５ｔに連結壁部３１が形成されると共に、この連結壁部３１に軸部３２が形成され、更に他端部５ｔが被係合部３３とされている。
また、他方の分割体１６の一端部５ｔには、連結壁部３１が形成されると共に、この連結壁部３１に挿通孔３４が形成され、更に他端部５ｔに前記被係合部３３に係合自在な係合爪部３５を有する係合壁部３６が形成されている。
これらの分割体１６、１６は、一方の分割体１６の軸部３２を他方の分割体１６の挿通孔３４内に挿通して互いに連結されている。
この構成において、一方の分割体１６に対し、他方の分割体１６は、軸部３２を中心として矢印方向に回動自在であり、係止爪部３５が被係合部３３に係合できるようになっている。
この支持具５は、係合爪部３５を被係合部３３に係合させることによって吊下ボルト４に固定され、係合爪部３５と被係合部３３との係合を解いた状態で前述した吊下ボルト４から外される。
この支持具５においても、上記各実施の形態と同様の作用、効果を得ることができる。
【符号の説明】
【００５７】
１    折版屋根
１ａ  山部
１ｂ  谷部
２    軒樋
３    軒樋吊具
４    吊下ボルト
４ａ  上端部
４ｂ  下端部
５    支持具（補強用支持具）
６    保持部材
１１  杆状部材
１２  貫通孔
１３  取付壁部
１４  緊締部材
１４ｂ  付勢壁部
１５  被係合凹凸部
１６  分割体
１７  凹部
１８  凸部
１９  係合凹凸部
２１  分断面
【図１】
2011001725.tif 000003
【図２】
2011001725.tif 000004
【図３】
2011001725.tif 000005
【図４】
2011001725.tif 000006
【図５】
2011001725.tif 000007
【図６】
2011001725.tif 000008
【図７】
2011001725.tif 000009
【図８】
2011001725.tif 000010
【図９】
2011001725.tif 000011
【図１０】
2011001725.tif 000012